(57)【要約】【課題】ＤＶＤ−Ｒの光ディスクにおいて未ファイナライズで削除してしまったタイトル情報に対応するタイトルを復活させ、再生させることができる光ディスク記録再生装置を提供する。【解決手段】挿入された光ディスクが未ファイナライズの光ディスクであると判定されたとき、光ディスクのＲＭＡからタイトル情報が取得され、また、光ディスクの先頭の記録領域からタイトル情報が取得される。両タイトル情報が比較されることにより、削除されたタイトル情報が有ると判定された後、削除されたタイトルの再生の指示を受けると、前記削除されたタイトル情報が読み込まれ、このタイトル情報に従って、光ディスクから前記削除されたタイトルが再生される。即ち、光ディスクが未ファイナライズで削除してしまったタイトル情報に対応するタイトルを復活させることができ、使い勝手が向上する。【選択図】図４
2008269672.tif 000002
【特許請求の範囲】
【請求項１】
光ディスクに情報を記録したり、光ディスクに記録した情報を再生したりする光ディスク記録再生装置において、
挿入された光ディスクが未ファイナライズの光ディスクであるか否かを判定するファイナライズ判定手段と、
前記光ディスクが未ファイナライズの光ディスクであると判定されたとき、前記光ディスクの記録管理領域からタイトル情報を取得する第１のタイトル情報取得手段と、
前記光ディスクの先頭の記録領域からタイトル情報を検索して取得する第２のタイトル情報取得手段と、
前記第１のタイトル情報取得手段により取得されたタイトル情報と前記第２のタイトル情報取得手段により取得されたタイトル情報とを比較することにより削除されたタイトル情報が有るか否かを判定する削除タイトル情報判定手段と、
前記削除されたタイトル情報が有ると判定された後、前記削除されたタイトル情報に対応するタイトルを再生させる指示を受けたとき、前記削除されたタイトル情報を読み込むタイトル情報読込手段と、
前記読み込まれたタイトル情報に従って前記タイトルを再生させるタイトル再生手段と、を有することを特徴とする光ディスク記録再生装置。
【請求項２】
前記第１のタイトル情報取得手段は、記録管理領域からＤＶＤビデオフォーマットにおける最後のＶＭＧＩ（ビデオ管理情報）を取得し、前記ＶＭＧＩから前記光ディスクに記録されているタイトル数を含むタイトル情報を取得することを特徴とする請求項１に記載の光ディスク記録再生装置。
【請求項３】
前記第２のタイトル情報取得手段は、前記光ディスクからＤＶＤビデオフォーマットにおけるＶＴＳ（ビデオタイトルセット）を検索し、前記ＶＴＳからＶＴＳＩ（ビデオタイトルセット情報）を取得して、タイトル数をカウントし、ビデオタイトルセット情報のサイズから次の文字列を検索して、検索する文字列が無くなるまで、タイトル情報を取得することを特徴とする請求項１に記載の光ディスク記録再生装置。
【請求項４】
前記光ディスクは、１回の書き込み可能なＤＶＤ−Ｒディスクであることを特徴とする請求項１または請求項２または請求項３に記載の光ディスク記録再生装置。
【発明の詳細な説明】
【技術分野】
【０００１】
本発明は、光ディスクに情報を記録したり、光ディスクに記録した情報を再生したりする光ディスク記録再生装置に関し、特に、ＤＶＤ−Ｒの光ディスクにおけるタイトル情報の取得処理に関する。
【背景技術】
【０００２】
従来から、ＤＶＤの光ディスクに動画を記録するフォーマットとして、ＤＶＤビデオ（ＤＶＤ−Ｖｉｄｅｏ）と呼ばれるフォーマットが存在する。ＤＶＤビデオフォーマットでは、先頭の記録領域からリードイン（Lead in）、ファイルシステム（ＦＳ）、ＶＭＧＩ（Video Management General Information）、ＶＭＧＭ＿ＶＯＢＳ（Video Management Menu Video Objects）、ＶＴＳ（Video Title Set）、およびリードアウト（Lead out）の各情報が記録される。このうち、ＶＭＧＩはＤＶＤの光ディスク全体の再生制御情報であり、ＶＭＧＭ＿ＶＯＢＳはメニュー画面の基となる。また、リードアウトは、ＤＶＤへの追記を禁止するものである。ＶＭＧＩ、ＶＭＧＭ＿ＶＯＢＳ、およびリードアウトは、ＤＶＤ−Ｒ、ＤＶＤ−ＲＷ、ＤＶＤ＋Ｒ、ＤＶＤ＋ＲＷなどの記録用ＤＶＤのファイナライズ時に生成される。
【０００３】
図５はファイナライズによるＤＶＤの記録データの変化を示すデータ構造図である。この図５を参照してファイナライズ処理を説明する。
【０００４】
未ファイナライズのＤＶＤには、図５（ａ）に示すように、リードイン、ファイルシステム、複数のＶＴＳが記録されている。ＤＶＤへのファイナライズでは、図５（ｂ）に示すように、ＶＭＧＩとＶＭＧＭ＿ＶＯＢＳとを生成してＤＶＤに記録する。ＶＭＧＭ＿ＶＯＢＳを生成する際、先ず、複数のＶＴＳから各ＶＴＳの内容を代表する代表画を選択する。そして、代表画をリサイズして静止画サムネイルを生成する。この静止画サムネイルをシーンの個数分繰り返し、メニュー画面を生成する。そして、ビットマップデータであるメニュー画面をビデオストリームに再エンコードする。これをパケット化したものをビデオパックと称す。また、ファイナライズでは、静止画サムネイルを貼り付けたメニュー画面を生成する。メニュー画面の構成は、予め決められている。
【特許文献１】特開２００６−３０２４７４号公報
【特許文献２】特開２００６−４０３６９号公報
【特許文献３】特開２００３−３３１５２６号公報
【発明の開示】
【発明が解決しようとする課題】
【０００５】
ところで、ＤＶＤビデオフォーマットの場合は、各タイトルに“ＤＶＤＶＩＤＥＯ−ＶＴＳ”という文字列コードが記述されている。ＤＶＤ−Ｒの光ディスクが未ファイナライズ状態で情報を記録した場合も、その文字コードを記録しているので、その文字コードからタイトル情報を取得する。しかし、タイトル情報が削除されたものに関しては、ＲＭＡ（Recording Management Area；記録管理領域）で取得したタイトル情報から削除されるので、このタイトル情報に対応するタイトルを再生することができなくなる。
【０００６】
即ち、従来の光ディスク記録再生装置では、ＲＭＡによってしかタイトル情報を読むことができないので、タイトル情報がＲＭＡから一旦削除されたものに関しては、そのタイトル情報に対応するタイトルを再生できなくなり、これにより、ＤＶＤ−Ｒの光ディスクが未ファイナライズで削除してしまったタイトル情報に対応するタイトル（隠しタイトル扱いのタイトル等）を復活させることができなくなり、ユーザにとっては不便であると言う課題があった。
【０００７】
なお、特許文献１の従来技術は、既にファイナライズした記録媒体の再ファイナライズの効率化を図るものであり、ＤＶＤ−Ｒの光ディスクが未ファイナライズで削除してしまったタイトル情報に対応するタイトル（隠しタイトル扱いのタイトル等）を復活させるようにするための処理は開示されていない。
【０００８】
特許文献２の従来技術は、ＤＶＤ−Ｒで、ファイナライズしていない場合、既に読み込み済みの可搬型記録媒体上のＲＭＤに書かれているＲＺｏｎｅ情報に基づき、アクセス処理実行部は、第三判断部の判断結果に従ってＴＭＰＶＭＧＩが可搬型記録媒体上に書かれている位置を取得してＴＭＰＶＭＧＩの読み込みを行うようにして、可搬型記録媒体に記録されている内容を再生するまでの処理を高速化するようにしているが、この従来技術も、ＤＶＤ−Ｒの光ディスクが未ファイナライズで削除してしまったタイトル情報に対応するタイトル（隠しタイトル扱いのタイトル等）を復活させるようにするための処理は開示されていない。
【０００９】
特許文献３の従来技術は、未ファイナライズされていない光ディスクが装填され、この光ディスクに追記する場合の処理が開示されているが、この従来技術も、ＤＶＤ−Ｒの光ディスクが未ファイナライズで削除してしまったタイトル情報に対応するタイトル（隠しタイトル扱いのタイトル等）を復活させるようにするための処理は開示されていない。
【００１０】
本発明は、上記のような課題を解決するためになされたもので、ＤＶＤ−Ｒの光ディスクにおいて未ファイナライズで削除してしまったタイトル情報に対応するタイトル（隠しタイトル扱いのタイトル等）を復活させ、再生させることができる光ディスク記録再生装置を提供することを目的とする。
【課題を解決するための手段】
【００１１】
上記目的を達成するために、請求項１の発明は、挿入された光ディスクが未ファイナライズの光ディスクであるか否かを判定するファイナライズ判定手段と、前記光ディスクが未ファイナライズの光ディスクであると判定されたとき、前記光ディスクの記録管理領域からタイトル情報を取得する第１のタイトル情報取得手段と、前記光ディスクの先頭の記録領域からタイトル情報を検索して取得する第２のタイトル情報取得手段と、前記第１のタイトル情報取得手段により取得されたタイトル情報と前記第２のタイトル情報取得手段により取得されたタイトル情報とを比較することにより削除されたタイトル情報が有るか否かを判定する削除タイトル情報判定手段と、前記削除されたタイトル情報が有ると判定された後、前記削除されたタイトル情報に対応するタイトルを再生させる指示を受けたとき、前記削除されたタイトル情報を読み込むタイトル情報読込手段と、前記読み込まれたタイトル情報に従って前記タイトルを再生させるタイトル再生手段とを有することを特徴とする光ディスク記録再生装置を提供する。
【００１２】
この構成においては、挿入された光ディスクが未ファイナライズの光ディスクであると判定されたとき、光ディスクの記録管理領域からタイトル情報が取得され、また、光ディスクの先頭の記録領域からタイトル情報が取得される。前記両タイトル情報が比較されることにより、削除されたタイトル情報が有ると判定された後、削除されたタイトルの再生の指示を受けると、前記削除されたタイトル情報が読み込まれ、このタイトル情報に従って、光ディスクから前記削除されたタイトルが再生される。
【００１３】
この構成によれば、光ディスクの未ファイナライズ状態で削除操作を行ったタイトルに関しては記録管理領域で取得したタイトル情報から削除されるが、記録管理領域から取得したタイトル情報と、光ディスクの先頭の記録領域から検索して取得したタイトル情報とを使用して、削除されたタイトル情報に対応するタイトルを割り出して再生させることができる。即ち、光ディスクが未ファイナライズで削除してしまったタイトル情報に対応するタイトル（隠しタイトル扱いのタイトル等）を復活させることができ、ユーザにとっては使い勝手が向上する。
【００１４】
請求項２の発明では、請求項１の発明において、前記第１のタイトル情報取得手段は、記録管理領域からＤＶＤビデオフォーマットにおける最後のＶＭＧＩ（ビデオ管理情報）を取得し、前記ＶＭＧＩから光ディスクに記録されているタイトル数を含むタイトル情報を取得するようにしたので、記録管理領域からタイトル情報を取得する処理を実現できる。
【００１５】
請求項３の発明では、請求項１の発明において、前記第２のタイトル情報取得手段は、光ディスクからＤＶＤビデオフォーマットにおけるＶＴＳ（ビデオタイトルセット）を検索し、前記ＶＴＳからＶＴＳＩ（ビデオタイトルセット情報）を取得して、タイトル数をカウントし、ビデオタイトルセット情報のサイズから次の文字列を検索して、検索する文字列が無くなるまで、タイトル情報を取得するようにしたので、光ディスクの先頭の記録領域からタイトル情報を取得する処理を実現できる。
【００１６】
請求項４の発明では、請求項１または請求項２または請求項３の発明において、光ディスクは、１回の書き込み可能なＤＶＤ−Ｒディスクであるので、ＤＶＤ−Ｒディスクに対して、未ファイナライズで削除してしまったタイトル情報に対応するタイトル（隠しタイトル扱いのタイトル等）を復活させることができるようになる。
【発明の効果】
【００１７】
以上のように本発明によれば、光ディスクの未ファイナライズ状態で削除操作を行ったタイトルに関しては記録管理領域で取得したタイトル情報から削除されるが、記録管理領域から取得したタイトル情報と、光ディスクの先頭の記録領域から検索して取得したタイトル情報とを使用して、削除されたタイトル情報に対応するタイトルを割り出して再生させることができる。即ち、例えば、ＤＶＤ−Ｒの光ディスクが未ファイナライズで削除してしまったタイトル情報に対応するタイトル（隠しタイトル扱いのタイトル等）を復活させることができ、ユーザにとっては使い勝手が向上する。
【発明を実施するための最良の形態】
【００１８】
以下、添付図面を参照しつつ、本発明の実施の形態について説明する。図１は本発明の一実施形態に係る光ディスク記録再生装置の構成を示すブロック図である。
【００１９】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２０】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２１】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２２】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２３】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２４】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２５】
システムコントローラ２２は、本実施形態の特徴とする構成要素として、挿入された光ディスク１が未ファイナライズの光ディスクであるか否かを判定するファイナライズ判定手段２２１と、前記光ディスク１が未ファイナライズの光ディスクであると判定されたとき、前記光ディスク１の記録管理領域からタイトル情報を取得する第１のタイトル情報取得手段２２２と、前記光ディスク１の先頭の記録領域からタイトル情報を検索して取得する第２のタイトル情報取得手段２２３と、前記第１のタイトル情報取得手段２２２により取得されたタイトル情報と前記第２のタイトル情報取得手段２２３により取得されたタイトル情報とを比較することにより削除されたタイトル情報が有るか否かを判定する削除タイトル情報判定手段２２４と、前記削除されたタイトル情報が有ると判定された後、前記削除されたタイトル情報に対応するタイトルを再生させる指示を受けたとき、前記削除されたタイトル情報を読み込むタイトル情報読込手段２２５と、前記読み込まれたタイトル情報に従って前記タイトルを再生させるタイトル再生手段２２６とを有する。
【００２６】
図２は本実施形態においてＤＶＤビデオフォーマットによる光ディスクのデータ構造図である。ＤＶＤビデオフォーマットによる光ディスクは、図２（Ａ）に示すように、先頭の記録領域側である最内側よりリードイン（Lead in）、データゾーン、リードアウト（Lead out）に区切られ、データゾーンに所望のビデオデータなどが記録される。
【００２７】
ここで、データゾーンは、リードイン側より、ＵＤＦ（Universal Disc Format）ブリッジ構成が記述されたファイルシステムエリアであるＵＤＦエリアＡ１、ＤＶＤ管理情報エリアであるＶＭＧ（Video Management）エリアＡ２、ＶＴＳ（Video Title Set；ビデオタイトルセット）の集合体であるリアルタイムデータ記録エリアＡ３に区分される。ＵＤＦエリアＡ１とＶＭＧエリアＡ２は、この光ディスクに記録されたビデオデータによるファイルを管理する管理用情報記録領域である。
【００２８】
これらのＵＤＦエリアＡ１とＶＭＧエリアＡ２のうち、ＶＭＧエリアＡ２は、ＤＶＤビデオフォーマットに固有のファイル管理システムに対応する領域であり、リアルタイムデータ記録エリアＡ３に記録されたビデオデータ全体を管理する管理用情報であるＴＯＣ（Table Of Contents）が記録される。これに対して、ＵＤＦエリアＡ１は、コンピュータによるファイル管理システムに対応する領域であり、コンピュータにおけるファイルシステムとの互換を図るフォーマットにより、リアルタイムデータ記録エリアＡ３に記録されたビデオデータ全体を管理する管理用情報が記録される。
【００２９】
リアルタイムデータ記録エリアＡ３は、実データを記録するユーザ用領域であり、図２（Ｂ）に示すように、ＶＴＳ（Video Title Set；ビデオタイトルセット）を単位にして、ビデオデータが記録される。ＶＴＳは、図２（Ｃ）に示すように、先頭側より、ＶＴＳＩ（Video Title Set Information ；ビデオタイトルセット情報）、ＶＴＳＭ  ＶＯＢＳ（Video  Object Set for the VTSM）、ＶＴＳＴＴ  ＶＯＢＳ（Video Object Set for Titles in a VTS）、ＶＴＳＩ  ＢＵＰ（Backup of VTSI）により構成される。ＶＴＳＴＴ  ＶＯＢＳには、実データである例えばＭＰＥＧ（Moving Picture Experts Group）２のフォーマットによるビデオデータが記録され、ＶＴＳＩには、この実データによるビデオデータを管理する管理用情報である記録位置情報などが記録される。ＶＴＳＴＴ  ＶＯＢＳには、ビデオデータのタイトルメニューが記録される。なお、ＶＴＳＴＴ  ＶＯＢＳは、オプションである。ＶＴＳＩ  ＢＵＰは、ＶＴＳＩのバックアップである。
【００３０】
これらの情報により、この種の光ディスクにおいては、コンピュータによりアクセスする場合、ＵＤＦにより所望するファイルを検索して再生することができるようになされ、ＤＶＤプレイヤやＤＶＤレコーダにより再生する場合には、ＶＭＧ中のＶＭＧＩにより所望するファイルを検索して再生することができるようになされている。
【００３１】
このような光ディスクにビデオデータを書き込む方式としては、ＩＮＣ（Incremental Recording）方式と、ＲＯＷ（Restricted Over Write）方式とがある。ここで、ＩＮＣ方式は、シーケンシャルにビデオデータを記録する方式であり、ＲＯＷ方式は、上書き可能な光ディスクに適用される記録方式である。但し、ＲＯＷ方式においても、未記録領域にデータを記録する場合には、シーケンシャルにビデオデータを記録する。これらのＩＮＣ方式およびＲＯＷ方式においては、リードイン内の内周側に設けされたＲＭＡ（Recording Management Area；記録管理領域）の記録管理情報により、記録予約や記録完了後などの光ディスクへの処理が管理されるようになされている。
【００３２】
さて、１回の書き込み可能なＤＶＤ−Ｒの光ディスクに対して情報の記録を行うＩＮＣ方式による記録手順を図３に示す。ＩＣＮ方式においては、一度に書き込むエリアは最大３つまでと定義されており、これらをそれぞれＲzoneと呼び、各ＲzoneをＲＭＡの記録管理情報により管理している。
【００３３】
即ち、動画を記録する場合、ＩＣＮ方式においては、図３（Ａ）に示すように、始めにＲzoneを予約する。ここで、Ｒzoneの予約は、管理用情報の記録領域であるＵＤＦエリアとＶＭＧエリアとを形成するＲzone１を定義し、続いてリアルタイムデータ記録エリアを形成する未記録領域に、先頭のＶＴＳのＶＴＳＩ、ＶＴＳＭ  ＶＯＢＳを形成するＲzone２の領域を定義し、残る未記録領域をInvisible Ｒzoneの領域と定義して実行される。ＩＣＮ方式は、Ｒzone１、Ｒzone２の予約により、管理用情報の記録領域を確保し、また先頭のＶＴＳのＶＴＳＩ、ＶＴＳＭ  ＶＯＢＳを形成する領域を確保するようになされている。
【００３４】
ＩＮＣ方式においては、Invisible Ｒzoneの先端側より順次ビデオデータを記録することにより、実データによるＶＴＳＴＴ  ＶＯＢＳを形成する。更にユーザの指示により、１つのタイトルについて実データの記録が完了すると、図３（Ｂ）に示すように、この実データの記録に続いてＶＴＳＩ  ＢＵＰを記録し、また図３（Ｃ）に示すように、先頭側に元ってＲzone２にＶＴＳＩ、ＶＴＳＭ  ＶＯＢＳを形成し、Ｒzone２を閉じる。これにより、ＩＮＣ方式においては、１つのＶＴＳを光ディスクに記録する。
【００３５】
また、続けて次のタイトルを記録する場合、ＩＣＮ方式においては、図３（Ｄ）に示すように、残りの未記録領域にＲzone３を予約してＶＴＳＩ、ＶＴＳＭ  ＶＯＢＳの領域を確保し、Invisible Ｒzoneを定義する。更に続いて、図３（Ｅ）に示すように、実データの記録によりＶＴＳＴＴ  ＶＯＢＳを形成した後、ＶＴＳＩ  ＢＵＰを形成し、図３（Ｆ）に示すように、先に確保した領域にＶＴＳＩ、ＶＴＳＭ  ＶＯＢＳを形成する。これにより、光ディスクでは、図３（Ｇ）に示すように、続くＶＴＳが記録される。ＩＮＣ方式においては、引き続きタイトルを記録する場合、同様に未記録領域を定義して順次ＶＴＳを記録する。
【００３６】
これに対して、このようにＶＴＳを順次記録して、リアルタイムデータ記録エリアが形成されることになる光ディスクについて、ＩＮＣ方式においては、図３（Ｈ）に示すように、ファイナライズの処理により、ＵＤＦエリアおよびＶＭＧエリアを形成し、更にリードイン、リードアウトを形成し、これにより、再生専用の光ディスクとの互換性が図られる。なお、ＵＤＦエリアおよびＶＭＧエリアの形成においては、各タイトルのＶＴＳＩ、ＶＴＳＭ  ＶＯＢＳのデータより、ＵＤＦ、ＶＭＧのデータを生成し、このデータをＲzone１に記録してＲzone１を閉じることにより実行される。
【００３７】
図４は、本実施形態においてＤＶＤ−Ｒの光ディスクに情報を記録した後、未ファイナライズの状態で削除してしまったタイトル情報に対応するタイトル（隠しタイトル扱いのタイトル等）を再生できるようにするための処理を示すフローチャートである。このフローチャートおよび図１〜図３を参照して、ＤＶＤ−Ｒの光ディスクに情報を記録した後、未ファイナライズの状態で削除してしまったタイトル情報に対応するタイトル（隠しタイトル扱いのタイトル等）を再生できるようにするための処理について説明する。
【００３８】
ここでは、光ディスク上のＲＭＡから取得したタイトル情報と、光ディスクの先頭の記録領域より検索させて取得したタイトル情報とを使用して、削除されたタイトル情報を割り出して、そのタイトル情報に対応するタイトルを再生する処理について説明するが、光ディスク上のＲＭＡのタイトル情報が削除された場合、ＲＭＡからタイトル情報を取得せずに、光ディスクの先頭の記録領域からデータを解析させ、“ＤＶＤＶＩＤＥＯ−ＶＴＳ”の文字列コードを検索してタイトル情報を取得し、削除されたタイトルも含めてタイトルを再生させることもできる。
【００３９】
先ず、光ディスク１が挿入されると、システムコントローラ２２は、光ディスク１の挿入を検知し（ステップＳ１）、光ディスク１を所定時間回転させると共に光ピックアップ２を駆動させ、光ディスク１のＲＭＡからディスク情報を読み出す処理である所謂マウント処理を行って（ステップＳ２）、そのディスク情報から光ディスク１が、ＤＶＤ−Ｒである否かを判定する（ステップＳ３）。
【００４０】
前記光ディスク１がＤＶＤ−Ｒであると判定されたとき、次に、システムコントローラ２２のファイナライズ判定手段２２１は、挿入された光ディスク１が未ファイナライズの光ディスクであるか否かを、ディスク情報に含まれるファイナライズ有無情報により判定する（ステップＳ４）。そして、未ファイナライズの光ディスクであると判定されたとき、システムコントローラ２２の第１のタイトル情報取得手段２２２は、光ディスク１のＲＭＡ（図２参照）からタイトル情報を取得する処理を開始する（ステップＳ５）。
【００４１】
光ディスク１のＲＭＡからタイトル情報を取得する処理が開始すると、第１のタイトル情報取得手段２２２は、ＲＭＡの記録管理情報により、光ディスク１に記録されているＶＭＧＩの中で最後のＶＭＧＩを取得し（ステップＳ６）、更に、その最後のＶＭＧＩから光ディスク１に記録されているタイトル数を含むタイトル情報を取得する（ステップＳ７）。
【００４２】
次に、システムコントローラ２２の第２のタイトル情報取得手段２２３は、最後のＶＭＧＩから光ディスク１に記録されているタイトル数を含むタイトル情報の取得を完了したことを検知すると（ステップＳ８）、光ディスク１の先頭の記録領域からタイトル情報を検索して取得する処理を開始する（ステップＳ９）。光ディスク１の先頭の記録領域からタイトル情報を検索して取得する処理が開始すると、第２のタイトル情報取得手段２２３は、ＶＴＳ（図２、図３参照）を検索し、ＶＴＳＩ（図２、図３参照）を取得し（ステップＳ１０）、タイトル数をカウントし（ステップＳ１１）、更に、ＶＴＳＩのサイズから次の文字列を検索し（ステップＳ１２）、検索する文字列が無くなれば（ステップＳ１３）、光ディスク１の先頭の記録領域からのタイトル情報の取得を完了したと判定する（ステップＳ１４）。
【００４３】
次に、システムコントローラ２２の削除タイトル情報判定手段２２４は、第１のタイトル情報取得手段２２２により取得されたタイトル情報と、第２のタイトル情報取得手段２２３により取得されたタイトル情報とを比較することにより、削除されたタイトル情報が有るか否かを判定する（ステップＳ１５）。即ち、ステップＳ５での処理の開始により取得されたタイトル情報と、ステップＳ９での処理の開始により取得されたタイトル情報とを比較すれば、両タイトル情報に異なる点が出てくる場合がある。したがって、両タイトル情報に異なる点が出て来れば、このときのタイトル情報が削除されたタイトル情報に相当するので、削除されたタイトル情報が有ると判定される。
【００４４】
ここで、前記削除されたタイトル情報が有ると判定されたときに、例えば、ディスプレイ装置２０に、削除されたタイトル情報が有るというメッセージを表示させることにより、ユーザは、削除されたタイトル情報があることを知り、リモコン２１を操作して、削除されたタイトル情報に対応するタイトルの再生を指示すると、システムコントローラ２２のタイトル情報読込手段２２５は、削除されたタイトル情報に対応するタイトルの再生指示を検知し（ステップＳ１６）、前記削除されたタイトル情報を読み込み（ステップＳ１７）、これにより、タイトル再生手段２２６は、光ピックアップ２を制御し、前記読み込まれたタイトル情報に従って、光ディスク１から前記削除されたタイトルを再生させる（ステップＳ１８）。
【００４５】
なお、ステップＳ４において、未ファイナライズの光ディスクでないと判定されたとき（即ち、光ディスク１がファイナライズ済みであると判定されたとき）、または、ステップＳ１５において、削除されたタイトル情報が無いと判定されたとき、または、ステップＳ１６において、削除されたタイトルの再生指示がされなかったときは、ユーザによるリモコン２１の操作により再生指示されると、システムコントローラ２２のタイトル再生手段２２６は、再生指示を検知し（ステップＳ１９）、光ピックアップ２を制御し、光ディスク１からタイトルを再生させる（ステップＳ１８）。
【００４６】
以上説明したように本実施形態によれば、光ディスクの未ファイナライズ状態で削除操作を行ったタイトルに関してはＲＭＡで取得したタイトル情報から削除されるが、ＲＭＡから取得したタイトル情報と、光ディスクの先頭の記録領域から検索して取得したタイトル情報とを使用して、削除されたタイトル情報に対応するタイトルを割り出して再生させることができる。即ち、例えば、ＤＶＤ−Ｒの光ディスクが未ファイナライズで削除してしまったタイトル情報に対応するタイトル（隠しタイトル扱いのタイトル等）を復活させることができ、ユーザにとっては使い勝手が向上する。
【産業上の利用可能性】
【００４７】
本発明は、ＤＶＤに対して情報の記録／再生を行うＤＶＤレコーダに利用可能であり、ＤＶＤ−Ｒの光ディスクにおいて未ファイナライズで削除してしまった部分を復活して再生させることを可能にする。
【図面の簡単な説明】
【００４８】
【図１】本発明の一実施形態に係る光ディスク記録再生装置の構成を示すブロック図である。
【図２】前記実施形態においてＤＶＤビデオフォーマットによる光ディスクのデータ構造図である。
【図３】前記実施形態において１回の書き込み可能なＤＶＤ−Ｒの光ディスクに対して情報の記録を行うＩＮＣ方式による記録手順を示すデータ構造図である。
【図４】前記実施形態においてＤＶＤ−Ｒの光ディスクに情報を記録した後、未ファイナライズの状態で削除してしまったタイトル情報に対応するタイトルを再生できるようにするための処理を示すフローチャートである。
【図５】ファイナライズによるＤＶＤの記録データの変化を示すデータ構造図である。
【符号の説明】
【００４９】
１    光ディスク
２２１    ファイナライズ判定手段
２２２    第１のタイトル情報取得手段
２２３    第２のタイトル情報取得手段
２２４    削除タイトル情報判定手段
２２５    タイトル情報読込手段
２２６    タイトル再生手段
【図１】
2008269672.tif 000003
【図２】
2008269672.tif 000004
【図３】
2008269672.tif 000005
【図４】
2008269672.tif 000006
【図５】
2008269672.tif 000007